(57)【要約】【課題】  ランプ等の個数を可及的に減少させ、搭載基板や電気部品の実装における工数を削減し得るようにした遊技機を提供する。【解決手段】  パチンコ機１は、信頼度毎に異なる種々の大当たり予告動作を行う演出役物１０が、光透過材からなるキャラクタ本体２５ａ外面にファイバ状植毛１２を施したキャラクタ像２５を有し且つファイバ状植毛１２にキャラクタ本体２５ａ内方から光を与えつつ回転するように構成されている。これにより、キャラクタ本体２５ａ内にランプ１５を例えば１個のみ有するだけで、その光をファイバ状植毛１２でキャラクタ本体２５ａ外面側に良好に導いて、キャラクタ像２５そのものを充分に発光させて演出効果を高めることができる【選択図】      図２
2005253680.tif 000002
【特許請求の範囲】
【請求項１】
遊技機本体の遊技盤面部に遊技表示装置と始動チャッカーとを備えてなる遊技機において、
前記遊技機本体の上下方向の軸を中心に回転可能に支持されると共に光透過材からなるキャラクタ本体外面にファイバ状植毛を施したキャラクタ像を有し、且つ前記ファイバ状植毛に前記キャラクタ本体内方から光を与えつつ、信頼度毎に異なる種々の大当たり予告動作を行う演出役物と、
前記始動チャッカーへの入賞をトリガとして、前記演出役物に実行させるべき大当たり予告動作の選択及びその作動制御を行う遊技制御手段と、を備え、
前記演出役物は、
前記遊技制御手段により選択された大当たり予告動作を行う際、前記キャラクタ像を、前記軸を中心に回転開始させた後、選択された前記大当たり予告動作に対応する信頼度が最も高いときキャラクタ前面が前記遊技機本体前方を向くように停止させ、前記信頼度が最も低いときキャラクタ背面が前記遊技機本体前方を向くように停止させてなる、
ことを特徴とする遊技機。
【請求項２】
前記キャラクタ像は、獣毛が密生する皮膚を有する種類の動物の形状を呈してなる、
ことを特徴とする請求項１に記載の遊技機。
【請求項３】
前記ファイバ状植毛は、前記キャラクタ本体外面に繊維状に設けられ且つ光拡散材が混入された光透過材からなる、
ことを特徴とする請求項１又は２に記載の遊技機。
【請求項４】
前記遊技制御手段は、前記信頼度が最高時と最低時との間にあっては、前記キャラクタ前面を前記遊技機本体前方から離反するように停止させてなる、
ことを特徴とする請求項１ないし３のうち何れか１項に記載の遊技機。
【請求項５】
前記キャラクタ像回転用のパルスモータを備え、
前記遊技制御手段は、前記パルスモータに単位時間当たりに与えるパルス数を調整して前記キャラクタ像の回転速度を前記信頼度の高低に応じて増減制御してなる、
ことを特徴とする請求項１ないし４のうち何れか１項に記載の遊技機。
【請求項６】
前記演出役物は、開口部と内面全体が鏡面状の曲面部とからなる半円筒状を呈し、前記曲面部によって前記キャラクタ像を前記遊技機本体後方側で覆い、且つ前記開口部から前記キャラクタ像を前記遊技機本体前方に開放する外方リフレクタを更に備えてなる、
ことを特徴とする請求項１ないし５のうち何れか１項に記載の遊技機。
【請求項７】
前記外方リフレクタには、前記キャラクタ像の前記遊技機本体後方側に位置するように発光体が設けられてなる、
ことを特徴とする請求項６に記載の遊技機。
【発明の詳細な説明】
【技術分野】
【０００１】
本発明は、パチンコ機等の遊技機に関し、詳しくは遊技中の大当たりへの期待感を与える演出装置を改善した遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、またスタートチャッカーに入球した際にはこれに基づいて大当たり抽選が行われると共に所定数の遊技球が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技球が払い出される状態となる。
【０００４】
ところで、上述のような従来のパチンコ機において、遊技盤面部に搭載される遊技部品に光源を内蔵することによって演出効果を高め、遊技者の遊技に対する期待感を高めるように構成した遊技機が提案されている（例えば、特許文献２参照）。
【０００５】
【特許文献１】特開２００３−２３６２１０号公報
【特許文献２】特開平０５−３０９１５９号公報
【発明の開示】
【発明が解決しようとする課題】
【０００６】
上記特許文献２に記載の遊技機では、上記光源として多数のランプや発光ダイオード（ＬＥＤ）を使用しているため、遊技機本体に搭載する基板や電気部品の実装において工数が増大したり、部品単価が高くなったりする不都合を生じる虞があった。
【０００７】
そこで本発明は、遊技部品としてのキャラクタ像を配置すると共に、当該キャラクタ像内方から光を与えて発散させるように構成し、もって上述した課題を解決した遊技機を提供することを目的とするものである。
【課題を解決するための手段】
【０００８】
請求項１に係る本発明は（例えば図１ないし図３参照）、遊技機本体（２，３）の遊技盤面部（７）に遊技表示装置（２１）と始動チャッカー（５０）とを備えてなる遊技機（１）において、
前記遊技機本体（２，３）の上下方向の軸（ａ）を中心に回転可能に支持されると共に光透過材からなるキャラクタ本体（２５ａ）外面にファイバ状植毛（１２）を施したキャラクタ像（２５）を有し、且つ前記ファイバ状植毛（１２）に前記キャラクタ本体（２５ａ）内方から光を与えつつ、信頼度毎に異なる種々の大当たり予告動作を行う演出役物（１０）と、
前記始動チャッカー（５０）への入賞をトリガとして、前記演出役物（１０）に実行させるべき大当たり予告動作の選択及びその作動制御を行う遊技制御手段（３４〜３６）と、を備え、
前記演出役物（１０）は、
前記遊技制御手段（３４〜３６）により選択された大当たり予告動作を行う際、前記キャラクタ像（２５）を、前記軸（ａ）を中心に回転開始させた後、選択された前記大当たり予告動作に対応する信頼度が最も高いときキャラクタ前面が前記遊技機本体前方を向くように停止させ、前記信頼度が最も低いときキャラクタ背面が前記遊技機本体前方を向くように停止させてなる、
ことを特徴とする遊技機（１）にある。
【０００９】
請求項２に係る本発明は（例えば図１及び図２参照）、前記キャラクタ像（２５）が、獣毛が密生する皮膚を有する種類の動物の形状を呈してなる、
ことを特徴とする請求項１に記載の遊技機（１）にある。
【００１０】
請求項３に係る本発明（例えば図２参照）は、前記ファイバ状植毛（１２）が、前記キャラクタ本体（２５ａ）外面に繊維状に設けられ且つ光拡散材が混入された光透過材からなる、
ことを特徴とする請求項１又は２に記載の遊技機（１）にある。
【００１１】
請求項４に係る本発明（例えば図２及び図３参照）は、前記遊技制御手段（３４〜３６）が、前記信頼度が最高時と最低時との間にあっては、前記キャラクタ前面を前記遊技機本体前方から離反するように停止させてなる、
ことを特徴とする請求項１ないし３のうち何れか１項に記載の遊技機（１）にある。
【００１２】
請求項５に係る本発明（例えば図２及び図３参照）は、前記キャラクタ像（２５）回転用のパルスモータ（１７）を備え、
前記遊技制御手段（３４〜３６）は、前記パルスモータ（１７）に単位時間当たりに与えるパルス数を調整して前記キャラクタ像（２５）の回転速度を前記信頼度の高低に応じて増減制御してなる、
ことを特徴とする請求項１ないし４のうち何れか１項に記載の遊技機（１）にある。
【００１３】
請求項６に係る本発明（例えば図１及び図２参照）は、前記演出役物（１０）が、開口部（３７ｂ）と内面全体が鏡面状の曲面部（３７ａ）とからなる半円筒状を呈し、前記曲面部（３７ａ）によって前記キャラクタ像（２５）を前記遊技機本体後方側で覆い、且つ前記開口部（３７ｂ）から前記キャラクタ像（２５）を前記遊技機本体前方に開放する外方リフレクタ（３７）を更に備えてなる、
ことを特徴とする請求項１ないし５のうち何れか１項に記載の遊技機（１）にある。
【００１４】
請求項７に係る本発明（例えば図１及び図２参照）は、前記外方リフレクタ（３７）には、前記キャラクタ像（２５）の前記遊技機本体後方側に位置するように発光体（２９）が設けられてなる、
ことを特徴とする請求項６に記載の遊技機（１）にある。
【００１５】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１６】
請求項１に係る本発明によると、信頼度毎に異なる種々の大当たり予告動作を行う演出役物が、光透過材からなるキャラクタ本体外面にファイバ状植毛を施したキャラクタ像を有し且つファイバ状植毛にキャラクタ本体内方から光を与えつつ回転するように構成されるので、キャラクタ本体内に発光体を例えば１個のみ有するだけで、その光をファイバ状植毛でキャラクタ本体外面側に良好に導いて、キャラクタ像そのものを発光させて演出効果を高めることができると共に、キャラクタ像が動物形からなる場合その外観を向上させることができる。従って、光源としてのランプ等の個数を可及的に減少させ、搭載基板や電気部品の実装における工数を削減し、部品単価の可及的な低減を図ることも可能になる。また演出役物が、大当たり予告動作を行う際、キャラクタ像を、軸を中心に回転開始させた後、選択された大当たり予告動作に対応する信頼度が最も高いときキャラクタ前面が遊技機本体前方を向くように停止させ、信頼度が最も低いときキャラクタ背面が遊技機本体前方を向くように停止させるので、遊技盤面部の狭いスペースを有効に活用しながら、大当たりの信頼度の高低（即ち、チャンス時と非チャンス時）を遊技者に、より明確に理解できるように示すことができる。
【００１７】
請求項２に係る本発明によると、キャラクタ像が、獣毛が密生する皮膚を有する種類の動物の形状を呈するので、多彩な演出によって遊技者の遊技に対する期待感を高めるように構成することができる。
【００１８】
請求項３に係る本発明によると、ファイバ状植毛が、キャラクタ本体外面に繊維状に設けられ且つ光拡散材が混入された光透過材からなるので、キャラクタ本体を形成する際、該形成工程と同時に、或いはキャラクタ本体形成後に、ファイバ状植毛を容易に形成することができる。なお、キャラクタ本体やファイバ状植毛の材料としては、例えばＰＰ、ＰＥＴ、ＰＣ、ＰＶＣ等からなる光透過材を挙げることができ、キャラクタ本体の形成方法としては、例えばインモールド成型、インサート成型、真空成型、圧空成型、インジェクション成型等を挙げることができ、ファイバ状植毛の形成方法としては、噴き付け等を挙げることができる。また、当該噴き付け工程において、例えばマスクを使用することにより、ファイバ状植毛が無くキャラクタ本体外面（表面）が露出する部分をあえて設け、キャラクタ本体外面（表面）から直接的に光を発散させるようにすることもできる。
【００１９】
請求項４に係る本発明によると、信頼度最高のときキャラクタ前面が遊技機本体前方を向くように停止させ、信頼度最低のときキャラクタ背面が遊技機本体前方を向くように停止させ、それ以外の信頼度のときにはキャラクタ前面を遊技機本体遊技機本体前方から離反させるように停止させることにより、大当たり予告の信頼度の遊技者に対する表現を多彩にすることができる。
【００２０】
請求項５に係る本発明によると、遊技制御手段が、パルスモータに単位時間当たりに与えるパルス数を調整してキャラクタ像の回転速度を前記信頼度の高低に応じて増減制御するので、キャラクタ像の停止角度に応じた信頼度の高低表現に、キャラクタ像が停止するまでの回転速度の高低変化を加えることにより、大当たり予告の信頼度表現を、更に多彩化させることができる。
【００２１】
請求項６に係る本発明によると、演出役物が、開口部と内面全体が鏡面状の曲面部とからなる半円筒状を呈し、曲面部によってキャラクタ像を遊技機本体後方側で覆い、且つ開口部からキャラクタ像を遊技機本体前方に開放する外方リフレクタを備えるので、回転するキャラクタ像から発散される光をその周囲の外方リフレクタで有効に拡散することができ、従って、光による演出効果を一層高めることができる。
【００２２】
請求項７に係る本発明によると、外方リフレクタに、キャラクタ像の遊技機本体後方側に位置するように発光体が設けられるので、キャラクタ像自体から発せられる光と、遊技機本体後方側からキャラクタ像に照射される光とのコンビネーションによって、より多彩な演出効果を得ることができる。
【発明を実施するための最良の形態】
【００２３】
以下、本発明に係る遊技機の実施形態として、遊技場等に設置されるパチンコ機を図１ないし図３に沿って説明する。
【００２４】
なお、図１は本発明の実施形態におけるパチンコ機の外部構造を示す正面図、図２は本実施形態における演出役物を拡大して示す側面図、図３は本パチンコ機の制御系を示すブロック図である。
【００２５】
本パチンコ機１は、後述の発射ハンドル９の操作による発射装置（図示せず）の作動で遊技球を遊技盤面部７に打ち出しつつ遊技を行うもので、いわゆる確率変動等の大当たりが発生した状態で不図示のアタッカー（大入賞口）に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２６】
図１に示すように、本パチンコ機１は、筐体２と、筐体２に開閉可能に装着された前扉３とを有しており、前扉３の前面には、透明ガラス６を有するガラス枠５が開閉可能に取付けられており、透明ガラス６の奥側には遊技盤面部７が配置されている。前扉３における遊技盤面部７の左右及び上部には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。なお、上記筐体２及び前扉３によって遊技機本体が構成されている。
【００２７】
前扉３における下部中央には皿ユニット１３が設けられており、皿ユニット１３における右上部には、賞球及び貸球を含む遊技球が供給される球供給口１８が設けられ、皿ユニット１３における左上部壁面には、球貸ボタン１４ａ及びプリペイドカード返却ボタン１４ｂが設けられている。皿ユニット１３の中央部には、該皿ユニット１３上の遊技球を発射装置付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。また、前扉３における皿ユニット１３の右側下方には、上記球発射装置を操作して遊技球を遊技盤面部７に向けて打ち出すための発射ハンドル９が設けられている。更に、皿ユニット１３の下部左方には、灰皿２４が配置されている。
【００２８】
上記遊技盤面部７の中央部分には液晶表示装置（遊技表示装置）２１が配置され、この液晶表示装置２１の上方の枠部２１ａ上には演出役物１０が配置され、液晶表示装置２１の下方には始動チャッカー５０が配置されている。なお、実際は、液晶表示装置２１の周囲にはセンター飾りが配置され、該センター飾りにおける始動チャッカー５０の上方には、当該センター飾り内にワープ入球口（図示せず）から導入される遊技球や導釘（図示せず）で弾き返されて導入される遊技球を始動チャッカー５０に導くように作用するステージが位置しているが、便宜上、これらセンター飾り及びステージは図示を省略している。本実施形態において上記演出役物１０は、図１及び図２の平面視における時計回り方向に回転するように作動制御される。
【００２９】
上記演出役物１０は、図１及び図２に示すように、遊技機本体の上下方向の軸ａを中心に回転可能に支持されると共に光透過材からなるキャラクタ本体２５ａの外面にファイバ状植毛１２を施したキャラクタ像２５を有し、且つファイバ状植毛１２にキャラクタ本体２５ａ内方から光を与えつつ、信頼度毎に異なる種々の大当たり予告動作を行うように構成されている。キャラクタ像２５の体毛に当たる部分のみならず、髭に当たる部分も上記ファイバ状植毛１２によって形成されている。
【００３０】
本実施形態において、キャラクタ像２５は猫形状を有するように構成されているが、これに限らず、ライオン、狼又は象等の動物形状を有するように構成することも可能である。このように、キャラクタ像２５が猫、ライオン、狼又は象等の、獣毛が密生する皮膚を有する種類の動物の形状を呈することにより、多彩な演出によって遊技者の遊技に対する期待感を高める効果を得ることができる。
【００３１】
また、ファイバ状植毛１２は、キャラクタ本体２５ａの外面に繊維状に設けられ且つ光拡散材が混入された光透過材から構成されている。これにより、キャラクタ本体２５ａを形成する際、該形成工程と同時に、或いはキャラクタ本体２５ａ形成後に、ファイバ状植毛１２を容易に形成することができる。なお、キャラクタ本体２５ａやファイバ状植毛１２の材料としては、例えばＰＰ、ＰＥＴ、ＰＣ、ＰＶＣ等からなる光透過材を挙げることができ、キャラクタ本体２５ａの形成方法としては、例えばインモールド成型、インサート成型、真空成型、圧空成型、インジェクション成型等を挙げることができ、ファイバ状植毛１２の形成方法としては、噴き付け等を挙げることができる。また、当該噴き付け工程において、例えばマスクを使用することにより、ファイバ状植毛１２が無くキャラクタ本体２５ａ外面（表面）が露出する部分をあえて設け、キャラクタ本体２５ａ外面（表面）から直接的に光を発散させるようにすることもできる。
【００３２】
そして、図２に示すように、液晶表示装置２１の枠部２１ａ上には円形台座１１が設けられており、該円形台座１１上には、上記キャラクタ像２５が起立した状態で下部を固定されている。この状態のキャラクタ像２５には、発光体としてランプ１５（図３参照）が内蔵されている。また、円形台座１１の外周縁の下部には、フェースギヤ２０が該円形台座１１と同軸状に固定されている。遊技機本体側には、キャラクタ像２５回転用のパルスモータ１７が固定されており、このパルスモータ１７の回転軸１７ａに固定されたピニオンギヤ１９が、上記フェースギヤ２０に噛合している。
【００３３】
そして、上記フェースギヤ２０及び円形台座１１は、枠部２１ａに対して一体的に回転自在となるように支持されている。従って、パルスモータ１７が、後述する演出制御手段３６から発信される作動信号に応答して回転駆動した際、その回転はピニオンギヤ１９及びフェースギヤ２０を介して円形台座１１及びキャラクタ像２５に伝達される。
【００３４】
また、図１及び図２に示すように、演出役物１０は、キャラクタ像２５を囲むように配置された外方リフレクタ３７を備えている。この外方リフレクタ３７は、開口部３７ｂと内面全体が鏡面状の曲面部３７ａとからなる半円筒状を呈し、曲面部３７ａによってキャラクタ像２５を遊技機本体後方側で覆い、且つ開口部３７ｂからキャラクタ像２５を遊技機本体前方に開放するように構成されている。これにより、回転するキャラクタ像２５から発散される光をその周囲の外方リフレクタ３７で有効に拡散することができ、従って、光による演出効果を一層高めることができる。
【００３５】
また、外方リフレクタ３７には、キャラクタ像２５の遊技機本体後方側に位置するように、発光体として発光ダイオード（ＬＥＤ）２９が設けられている。即ち、外方リフレクタ３７の背面側には基板２７が立設配置され、且つ基板２７には縦方向に複数（例えば５個）のＬＥＤ２９が実装されている。当該基板２７は、不図示の配線を介して、後述するサブ基板３１側に電気的に接続されている。
【００３６】
そして、外方リフレクタ３７における当該ＬＥＤ２９に対向する位置には、同数の光照射孔３８が貫通穿設されている。本実施形態では、ＬＥＤ２９及び光照射孔３８を例えば５個として説明するが、これらの個数はこれに限らず、５個より少なく、或いは多く設けられても良いことは勿論である。このように、外方リフレクタ３７に、キャラクタ像２５の遊技機本体後方側に位置するようにＬＥＤ２９が設けられたことにより、キャラクタ像２５自体から発せられる光と、遊技機本体後方側からキャラクタ像２５に照射される光とのコンビネーションによって、より多彩な演出効果を得ることができる。
【００３７】
また演出役物１０は、後述する演出選択手段３４によって選択された大当たり予告動作を行う際、当該予告動作に対応する演出信号が演出信号出力手段３５から発信され、これに従って演出制御手段３６から発せられた作動信号に応答して、キャラクタ像２５を、軸ａを中心に回転開始させた後、選択された大当たり予告動作に対応する信頼度が最も高いときキャラクタ前面が遊技機本体前方を向くように停止させ、信頼度が最も低いときキャラクタ背面が遊技機本体前方を向くように停止させるように作動させられる。
【００３８】
次に、本実施形態におけるパチンコ機１の制御系を図３に沿って説明する。すなわち、本制御系は、主基板（主制御基板）３０と、この主基板３０に接続されたサブ基板（サブ制御基板）３１とを有しており、該サブ基板３１には、放音装置８、演出用照明装置２３、液晶表示装置２１、ランプ１５、ＬＥＤ２９、及びパルスモータ１７が接続されている。
【００３９】
上記主基板３０は、本パチンコ機１の動作全体を管理するものであり、当該パチンコ機１の動作全体を管理するシステムプログラム及び遊技用の実行プログラムが予め記憶された半導体メモリ等からなる記憶部（図示せず）と、これらのプログラムを実行するマイクロプロセッサ（ＭＰＵ）とを備えている。そして主基板３０は、入賞判定手段３２と、入賞信号出力手段３３とを備えている。
【００４０】
入賞判定手段３２は、発射ハンドル９の操作で作動する発射装置（図示せず）によって遊技盤面部７に打ち出された遊技球が始動チャッカー５０に入賞（入球）したとき、始動チャッカー５０への入賞と判定する。
【００４１】
入賞信号出力手段３３は、入賞判定手段３２によって始動チャッカー５０への入賞が判定されたとき、入賞信号を出力する。
【００４２】
上記サブ基板３１は、主基板３０中の上記マイクロプロセッサから供給される演出制御信号に従って、実装された電気回路からなる適宜の手段が放音装置８、演出用照明装置２３や液晶表示装置２１を適時駆動して、遊技者の視覚及び聴覚に訴えるべく、通常時演出や大当たり時における特別演出を音や光等によって行うように機能する。サブ基板３１はまた、演出選択手段３４、演出信号出力手段３５、及び演出制御手段３６を備え、これらの手段３４〜３５によりランプ１５、ＬＥＤ２９、放音装置８及びパルスモータ１７を制御して大当たり予告動作を行うように機能する。
【００４３】
演出選択手段３４は、入賞信号出力手段３３から出力された入賞信号を受けたとき、不図示のテーブルに予め準備された複数の演出パターンの内からの選択を行う。なお、当該選択では、必ずしも演出パターンの何れかが選択されるとは限らず、何れの演出パターンも選択されないことがあり、その場合には演出役物１０の演出は行われないこととなる。
【００４４】
また、上記演出パターンは、遊技者の大当たりへの期待感を高めて遊技性を向上させるべく、ランプ１５及び／又はＬＥＤ２９の異なる発光状態（点灯、点滅、光の強弱）と、放音装置８の異なる放音状態（連続鳴動、断続鳴動、音の強弱）と、パルスモータ１７によるキャラクタ像２５の回転速度及び停止状態（停止角度）とを種々組み合わせた複数のパターンとして構成されている。
【００４５】
演出信号出力手段３５は、演出選択手段３４によって選択された演出パターンに対応する演出信号を出力する。
【００４６】
演出制御手段３６は、入力した演出信号に基づき、選択された演出パターンに予め設定された状態となるように、ランプ１５及び／又はＬＥＤ２９を発光させ、放音装置８を放音作動させ、パルスモータ１７を回転させてキャラクタ像２５を所定方向に所要速度で駆動した後、所定の状態（角度）で停止させる。つまり、演出制御手段３６は、選択された演出パターンに従って、ランプ１５、ＬＥＤ２９及び放音装置８への駆動信号を制御すると共に、パルスモータ１７に１秒間当たりに与えるパルス数を調整してキャラクタ像２５の回転速度を信頼度の高低に応じて増減制御した後、当該演出パターンに設定された角度でキャラクタ像２５が止まるようにパルスモータ１７を制御する。
【００４７】
具体的には、演出制御手段３６は、演出選択手段３４により選択された演出パターンに沿った大当たり予告動作を行う場合、演出役物１０のキャラクタ像２５を、軸ａを中心に回転開始させた後、選択された大当たり予告動作に対応する信頼度が最も高いときキャラクタ前面が遊技機本体前方を向くように停止させ、信頼度が最も低いときキャラクタ背面が遊技機本体前方を向くように停止させるように制御するのである。演出制御手段３６はまた、選択された演出パターンにおいての信頼度が最高時と最低時との間にある場合に、キャラクタ前面を遊技機本体前方から離反させて停止させるように制御する。
【００４８】
なお、上記演出選択手段３４、演出信号出力手段３５及び演出制御手段３６によって、始動チャッカー５０への入賞（入球）をトリガとして、演出役物１０に実行させるべき大当たり予告動作の選択及びその作動制御を行う遊技制御手段が構成されている。
【００４９】
ついで、本パチンコ機１による作用について説明する。すなわち、本パチンコ機１に対して着座した遊技者が発射ハンドル９を握り、適宜の角度に回動操作すると、不図示の発射装置の作動によって遊技球が所定の間隔で遊技盤面部７に向けて連続的に発射される。そして、遊技盤面部７に打ち出された遊技球が、不図示のステージを経由し、或いは直接的に始動チャッカー５０に入球すると、主基板３０に備えた入賞判定手段３２が入賞と判定し、これに従って入賞信号出力手段３３が入賞信号を出力する。
【００５０】
そして、上記入賞信号を入力した演出選択手段３４が、テーブル（図示せず）に予め準備した複数の演出パターンからの選択を実行する。その結果、例えば何れかの演出パターンが選択された場合、サブ基板３１の電気回路からなる適宜手段による制御で液晶表示装置２１が図柄の変動演出を開始すると共に、演出信号出力手段３５が、選択された演出パターンに対応する演出信号を出力し、これに応答して演出制御手段３６が、選択演出パターンに応じてランプ１５及び／又はＬＥＤ２９を発光させ、放音装置８を放音作動させ、パルスモータ１７を回転させてキャラクタ像２５を所定方向に所要速度で駆動させる。この際、回転開始する直前のキャラクタ像２５は、キャラクタ前面を遊技者側に向けた状態（図１参照）にされて、意匠性が高められている。そして、演出制御手段３６は、キャラクタ像２５を所定時間回転させた後、選択演出パターンに対応した所定の角度で停止させる。
【００５１】
上記選択されたパターンの演出が開始されたとき、遊技者は、ランプ１５及び／又はＬＥＤ２９の発光開始とキャラクタ像２５の回転開始とを認識した瞬間、大当たりするかもしれないという期待感を抱き、キャラクタ像２５の回転速度が早い場合には当該期待感を更に膨らませつつ、演出役物１０による演出に注目することとなる。そして、キャラクタ像２５が、例えばキャラクタ前面を遊技者側に向けた状態で停止したとき、遊技者は、信頼度が最高と認識し、液晶表示装置２１での図柄変動が大当たりの状態で停止することを期待しながら注視する。この際、始動チャッカー５０への入賞時に主基板３０にて別途行われた大当たり抽選で大当たりに当選していれば、遊技者の期待通り大当たりすることとなる。
【００５２】
一方、キャラクタ像２５が、例えばキャラクタ背面を遊技者側に向けた状態で停止したとき、遊技者は、信頼度が最低と認識しつつ、液晶表示装置２１での図柄変動を見ながら遊技を続けることになる。しかし、この場合においても、始動チャッカー５０への入賞時に主基板３０にて別途行われた抽選で大当たりに当選していれば、信頼度最低との告知にも拘わらず結果は大当たりとなって、遊技者に一層大きな喜びを与えることとなる。
【００５３】
また、キャラクタ前面を遊技機本体前方から離反するように停止した場合、遊技者は、信頼度が最高と最低の中間であると認識しつつ、液晶表示装置２１での図柄変動を見ながら遊技を続けることになる。これにより、大当たり予告の信頼度の遊技者に対する表現が多彩化される。
【００５４】
したがって、以上の本実施形態におけるパチンコ機１によると、信頼度毎に異なる種々の大当たり予告動作を行う演出役物１０が、光透過材からなるキャラクタ本体２５ａ外面にファイバ状植毛１２を施したキャラクタ像２５を有し且つファイバ状植毛１２にキャラクタ本体２５ａ内方から光を与えつつ回転するように構成されるので、キャラクタ本体２５ａ内にランプ１５を１個のみ有するだけで、その光をファイバ状植毛１２でキャラクタ本体外面側に良好に導いて、キャラクタ像２５そのものを発光させて演出効果を高めることができると共に、キャラクタ像２５が動物形からなる場合その外観が向上する。
【００５５】
従って、光源としてのランプ等の個数を可及的に減少させ、搭載基板や電気部品の実装における工数を削減し、部品単価の可及的な低減を図ることも可能になる。また演出役物１０が、大当たり予告動作を行う際、キャラクタ像２５を、軸ａを中心に回転開始させた後、選択された大当たり予告動作に対応する信頼度が最も高いときキャラクタ前面が遊技機本体前方を向くように停止させ、信頼度が最も低いときキャラクタ背面が遊技機本体前方を向くように停止させるので、遊技盤面部７の狭いスペースを有効に活用しながら、大当たりの信頼度の高低（即ち、チャンス時と非チャンス時）を遊技者に、より明確に理解できるように示すことができる。
【００５６】
また、遊技制御手段としての演出選択手段３４、演出信号出力手段３５及び演出制御手段３６が、キャラクタ像２５回転用のパルスモータ１７に１秒間当たりに与えるパルス数を調整してキャラクタ像２５の回転速度を信頼度高低に応じて増減制御するので、キャラクタ像２５の停止角度に応じた信頼度の高低表現に、キャラクタ像２５が停止するまでの回転速度の高低変化を加えることにより、大当たり予告の信頼度表現が更に多彩化される。
【００５７】
なお、本実施の形態では、キャラクタ像２５がキャラクタ前面を遊技機本体前方に向けるように停止したとき信頼度が最高となる旨の説明をしたが、例えば、当該停止状態のときを大当たり１００％（大当たり確定）の表示となるように構成することも可能である。
【００５８】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５９】
【図１】本発明の実施形態におけるパチンコ機の外部構造を示す正面図である。
【図２】本実施形態における演出役物を拡大して示す側面図である。
【図３】パチンコ機の制御系を示すブロック図である。
【符号の説明】
【００６０】
１…パチンコ機（遊技機）
２…筐体
３…前扉
７…遊技盤面部
１０…演出役物
１２…ファイバ状植毛
１５…ランプ（発光体）
１７…パルスモータ
２１…液晶表示装置（遊技表示装置）
２５…キャラクタ像
２５ａ…キャラクタ本体
２９…ＬＥＤ
３４…演出選択手段
３５…演出信号出力手段
３６…演出制御手段
３７…外方リフレクタ
３７ａ…曲面部
３７ｂ…開口部
５０…始動チャッカー
ａ…軸
【図１】
2005253680.tif 000003
【図２】
2005253680.tif 000004
【図３】
2005253680.tif 000005